(57)【要約】【課題】浄化能力の調整の自由度が高い光触媒方式の流体浄化装置を提供する。【解決手段】空気清浄装置１は、光触媒ブロックを複数、各々スライド可能に保持するレール１１２の取り付けられた外殻フレーム１１１と、外殻フレーム１１１の外側を覆うパネル１１４と、外殻フレーム１１１の上面を覆うパネル１１４に設けられた吸入口に接続された流入ダクト１１５と、外殻フレーム１１１の上面を覆うパネル１１４に設けられた排出口を貫通するように接続された流出ダクト１１６と、紫外線光を発光する発光体を有する発光体パネル１１２で構成される本体１１と、本体１１に装填された光触媒ブロックを備える。ユーザは光触媒ブロックに装填する光触媒パネルの数を調整することで、空気清浄装置１の浄化能力を調整することができる。【選択図】図１
2014073268.tif 000002
【特許請求の範囲】
【請求項１】
光触媒を担持する板状体である光触媒パネルと、
前記光触媒パネルを複数枚、各々スライド可能に保持する機構である光触媒パネル保持機構を有した枠体である光触媒パネル保持体と、
１以上の前記光触媒パネルを保持した前記光触媒パネル保持体である光触媒ブロックを１以上、各々スライド可能に保持する機構である光触媒ブロック保持機構と、外部からの流体の流入を許容する開口部である吸入口と、前記吸入口から流入した流体の流出を許容する開口部である排出口とを有する箱体である筐体と、
前記筐体の中に収容される前記光触媒パネルに光を照射する発光装置と、
前記吸入口から前記排出口に向かい流体を移動させる流体移動装置と
を備える流体清浄装置。
【請求項２】
前記光触媒パネルは、前記光触媒パネルの平板な面に対し垂直な方向に貫通する六角柱形状の複数の流路を形成するハニカム構造の壁面を有するハニカムパネルと、前記壁面の上に保持される光触媒とを有する
請求項１に記載の流体清浄装置。
【請求項３】
請求項１または２に記載の流体清浄装置である第１のユニットと、
請求項１または２に記載の流体正常装置である第２のユニットと、
前記第１のユニットの前記排出口と前記第２のユニットの前記吸入口を互いに連通させるように前記第１のユニットと前記第２のユニットとを着脱可能に連結する連結部材と
を備える流体清浄装置。
【請求項４】
前記第１のユニットの前記吸入口から前記排出口に向かう流体の経路を第１の経路とし、前記第２のユニットの前記吸入口から前記排出口に向かう流体の流路を第２の経路とするとき、前記第１の経路及び前記第２の経路の一方は直線を描き、他方は非直線を描く
請求項３に記載の流体清浄装置。
【請求項５】
前記連結部材は、前記第１のユニットの前記排出口の外縁部に設けられた第１の部材と、前記第２のユニットの前記吸入口の外縁部に設けられ、前記第１の部材と互いに着脱可能に係合可能な形状の第２の部材とを有する
請求項３または４に記載の流体清浄装置。
【請求項６】
前記連結部材は、前記第１のユニットの前記排出口の外縁部に設けられた第１の部材と、前記第２のユニットの前記吸入口の外縁部に設けられた第２の部材と、一方の端部が前記第１の部材と互いに着脱可能に係合可能な形状であり他方の端部が前記第２の部材と互いに着脱可能に係合可能な形状である第３の部材とを有する
請求項３または４に記載の流体清浄装置。
【請求項７】
前記連結部材は前記流体移動装置を保持する
請求項３乃至６のいずれか１項に記載の流体清浄装置。
【請求項８】
前記発光装置は、互いに連結された前記第１のユニットと前記第２のユニットにより形成される流体の流路を含む第１の平面に対し垂直に交わる第２の平面上に配置された複数の発光体を有する
請求項３乃至７のいずれか１項に記載の流体清浄装置。
【請求項９】
前記複数の発光体を前記第２の平面上に保持する枠体または板体である発光体保持部材を備え、
前記筐体は、前記複数の発光体を保持した前記発光体保持部材である発光体パネルを、前記第１の平面に対し垂直な方向にスライド可能に保持する機構である発光体パネル保持機構を有する
請求項８に記載の流体清浄装置。
【請求項１０】
電源から前記第１のユニットの前記発光装置に電力を配電する第１の配電部材と、
前記電源から前記第２のユニットの前記発光装置に電力を配電する第２の配電部材と
を備え、
前記第１の配電部材または前記第２の配電部材は、前記第１のユニットと前記第２のユニットの前記連結部材による連結の確立に伴い、前記電源と前記発光装置とを電気的に接続し、前記第１のユニットと前記第２のユニットの前記連結部材による連結の解除に伴い、前記電源と前記発光装置とを電気的に切断する
請求項３乃至９のいずれか１項に記載の流体清浄装置。
【請求項１１】
前記連結部材は前記流体移動装置を保持し、
前記電源から前記流体移動装置に電力を配電する第３の配電部材を備え、
前記第３の配電部材は、前記第１のユニットと前記第２のユニットの前記連結部材による連結の確立に伴い、前記電源と前記流体移動装置とを電気的に接続し、前記第１のユニットと前記第２のユニットの前記連結部材による連結の解除に伴い、前記電源と前記流体移動装置とを電気的に切断する
請求項１０に記載の流体清浄装置。
【請求項１２】
前記光触媒パネルをマイナスに帯電させる帯電装置を備える
請求項１乃至１１のいずれか１項に記載の流体清浄装置。
【請求項１３】
前記光触媒パネルは、前記筐体の中を流れる流体の当該流れの方向をガイドする形状を有する
請求項１乃至１２のいずれか１項に記載の流体清浄装置。
【発明の詳細な説明】
【技術分野】
【０００１】
本発明は、空気、水などの流体を清浄する技術に関する。
【背景技術】
【０００２】
飲食店や喫煙室、個人宅のリビングなど、様々な閉空間において流体清浄機が利用されている。多くの流体清浄機は、汚濁物質を含む閉空間内の流体をファンによりフィルタに導き、フィルタにより汚濁物質を捕捉して、汚濁物質の低減された流体を閉空間に戻す仕組みを採用している。
【０００３】
フィルタにより汚濁物質を捕捉する仕組みの流体清浄機においては、汚濁物質によりフィルタの目詰まりが生じるため、フィルタの定期的な交換が不可避であり、そのメインテナンスに手間やコストがかかる。これに対し、フィルタを用いず、光触媒を用いて空気を浄化する仕組み（以下、「光触媒方式」という）を採用した流体清浄機が提案されている。
【０００４】
例えば特許文献１には、光触媒部と、光触媒部に対し活性輻射線を放射する光源を備え、光触媒部を通過する気体または液体を浄化する光触媒モジュールを備える清浄装置が提案されている。特許文献１に提案されている清浄装置においては、互いに連結可能な光触媒モジュールの数を変更することにより、清浄装置の清浄能力を変更することができる。
【０００５】
また、例えば特許文献２には、各々が空気浄化機能部と送風機能部を備えた複数の空気浄化ユニットと、これら複数の空気浄化ユニットを駆動する制御機能部を備えた制御ユニットとを互いに連結した空気清浄装置が提案されており、空気浄化ユニットは光触媒体と光源及び光源を駆動する回路を備える光触媒脱臭ユニットであってもよい点が記載されている。
【０００６】
また、例えば特許文献３には、複数の浄化ユニットを直線状に連結し、これら複数の浄化ユニットの通気路を互いに連通させた空気浄化装置が提案されている。特許文献３に提案されている空気浄化装置においては、オゾン生成作用を有する波長の紫外線を放射する紫外線ランプを備えるタイプの浄化ユニット、殺菌作用を有する波長の紫外線を放射する紫外線ランプを備えるタイプの浄化ユニット、光触媒及び光触媒活性化作用を有する波長の紫外線を放射する紫外線ランプを備えるタイプの浄化ユニット、と異なる３つのタイプの浄化ユニットの中から自由に選択された複数の浄化ユニットが用いられる。
【先行技術文献】
【特許文献】
【０００７】
【特許文献１】特開２００４−２４２８６５号公報
【特許文献２】特開２００２−１７４４４３号公報
【特許文献３】特開２０００−００５２９３号公報
【発明の概要】
【発明が解決しようとする課題】
【０００８】
フィルタを用いる空気清浄装置においては、空気の浄化能力を高めるためには、フィルタの数を増やせばよい。これに対し、光触媒方式の空気清浄装置においては、光が照射される光触媒の担持体（以下、「光触媒担持体」という）の表面に対し空気が触れる面積と時間の積が大きい程、空気内の浄化対象の有機物（汚濁物質、細菌、ウィルス等）が光触媒により生じるＯＨラジカルに触れる確率が高まり、空気の浄化能力が高まる。そのため、一般的に空気の浄化能力を調節するためには空気の流路の長さを変更するなど、装置の体積を変更する必要がある。従って、必要とされる浄化能力の高低に応じて、光触媒方式の空気清浄装置の筐体の大きさも大小するものが一般的である。その場合、異なる大きさの装置を複数製造する必要があるため、コスト高となる。
【０００９】
また、空気に限らず、光触媒を用いた浄化の仕組みは、水などの液体を含む流体全般において利用されている。光触媒方式の浄化装置において、必要な浄化能力が異なる場合に対応するために異なる筐体の大きさの浄化装置を複数準備することが一般的で、コスト高である点は、空気清浄装置に限らず、他の気体や水などの液体を含む流体の清浄装置全体に共通する課題である。
【００１０】
上記の事情に鑑み、本発明は、浄化能力の調整の自由度が高い光触媒方式の流体浄化装置を提供することを目的とする。
【課題を解決するための手段】
【００１１】
上記の課題を解決するため、本発明は、光触媒を担持する板状体である光触媒パネルと、前記光触媒パネルを複数枚、各々スライド可能に保持する機構である光触媒パネル保持機構を有した枠体である光触媒パネル保持体と、１以上の前記光触媒パネルを保持した前記光触媒パネル保持体である光触媒ブロックを１以上、各々スライド可能に保持する機構である光触媒ブロック保持機構と、外部からの流体の流入を許容する開口部である吸入口と、前記吸入口から流入した流体の流出を許容する開口部である排出口とを有する箱体である筐体と、前記筐体の中に収容される前記光触媒パネルに光を照射する発光装置と、前記吸入口から前記排出口に向かい流体を移動させる流体移動装置とを備える流体清浄装置を提案する。
【００１２】
また、上記の流体清浄装置において、前記光触媒パネルは、前記光触媒パネルの平板な面に対し垂直な方向に貫通する六角柱形状の複数の流路を形成するハニカム構造の壁面を有するハニカムパネルと、前記壁面の上に保持される光触媒とを有する、という構成が採用されてもよい。
【００１３】
また、上記の流体清浄装置である第１のユニットと、上記の流体正常装置である第２のユニットと、前記第１のユニットの前記排出口と前記第２のユニットの前記吸入口を互いに連通させるように前記第１のユニットと前記第２のユニットとを着脱可能に連結する連結部材とを備える流体清浄装置を提案する。
【００１４】
また、上記の流体清浄装置において、前記第１のユニットの前記吸入口から前記排出口に向かう流体の経路を第１の経路とし、前記第２のユニットの前記吸入口から前記排出口に向かう流体の流路を第２の経路とするとき、前記第１の経路及び前記第２の経路の一方は直線を描き、他方は非直線を描く、という構成が採用されてもよい。
【００１５】
また、上記の流体清浄装置において、前記連結部材は、前記第１のユニットの前記排出口の外縁部に設けられた第１の部材と、前記第２のユニットの前記吸入口の外縁部に設けられ、前記第１の部材と互いに着脱可能に係合可能な形状の第２の部材とを有する、という構成が採用されてもよい。
【００１６】
また、上記の流体清浄装置において、前記連結部材は、前記第１のユニットの前記排出口の外縁部に設けられた第１の部材と、前記第２のユニットの前記吸入口の外縁部に設けられた第２の部材と、一方の端部が前記第１の部材と互いに着脱可能に係合可能な形状であり他方の端部が前記第２の部材と互いに着脱可能に係合可能な形状である第３の部材とを有する、という構成が採用されてもよい。
【００１７】
また、上記の流体清浄装置において、前記発光体を前記第２の平面上に保持する発光体保持部材を備え、前記箱体は、前記発光体保持部材を、前記第１の平面に対し垂直な方向にスライド可能に保持する、という構成が採用されてもよい。
【００１８】
また、上記の流体清浄装置において、前記連結部材は前記流体移動装置を保持する、という構成が採用されてもよい。
【００１９】
また、上記の流体清浄装置において、前記発光装置は、互いに連結された前記第１のユニットと前記第２のユニットにより形成される流体の流路を含む第１の平面に対し垂直に交わる第２の平面上に配置された複数の発光体を有する、という構成が採用されてもよい。
【００２０】
また、上記の流体清浄装置において、前記複数の発光体を前記第２の平面上に保持する枠体または板体である発光体保持部材を備え、前記筐体は、前記複数の発光体を保持した前記発光体保持部材である発光体パネルを、前記第１の平面に対し垂直な方向にスライド可能に保持する機構である発光体パネル保持機構を有する、という構成が採用されてもよい。
【００２１】
また、上記の流体清浄装置において、電源から前記第１のユニットの前記発光装置に電力を配電する第１の配電部材と、前記電源から前記第２のユニットの前記発光装置に電力を配電する第２の配電部材とを備え、前記第１の配電部材または前記第２の配電部材は、前記第１のユニットと前記第２のユニットの前記連結部材による連結の確立に伴い、前記電源と前記発光装置とを電気的に接続し、前記第１のユニットと前記第２のユニットの前記連結部材による連結の解除に伴い、前記電源と前記発光装置とを電気的に切断する、という構成が採用されてもよい。
【００２２】
また、上記の流体清浄装置において、前記連結部材は前記流体移動装置を保持し、前記電源から前記流体移動装置に電力を配電する第３の配電部材を備え、前記第３の配電部材は、前記第１のユニットと前記第２のユニットの前記連結部材による連結の確立に伴い、前記電源と前記流体移動装置とを電気的に接続し、前記第１のユニットと前記第２のユニットの前記連結部材による連結の解除に伴い、前記電源と前記流体移動装置とを電気的に切断する、という構成が採用されてもよい。
【００２３】
また、上記の流体清浄装置において、前記光触媒パネルをマイナスに帯電させる帯電装置を備える、という構成が採用されてもよい。
【００２４】
また、上記の流体清浄装置において、前記光触媒パネルは、前記筐体の中を流れる流体の当該流れの方向をガイドする形状を有する、という構成が採用されてもよい。
【発明の効果】
【００２５】
本発明によれば、光触媒ブロックに保持される光触媒パネルの枚数を変更することにより、浄化能力の調整が可能である。また、本発明によれば、複数の光触媒パネルを光触媒ブロックの単位で筐体に出し入れすることができるため、メインテナンス等における手間がかからない。
【図面の簡単な説明】
【００２６】
【図１】本発明の第１実施形態にかかる空気清浄装置の本体の外観を示した図である。
【図２】本発明の第１実施形態にかかる空気清浄装置の本体の分解図である。
【図３】本発明の第１実施形態にかかる空気清浄装置の光触媒ブロックの外観を示した図である。
【図４】本発明の第２実施形態にかかる空気清浄システムの外観を示した図である。
【図５】本発明の第２実施形態にかかる直線タイプの清浄ユニットの外観を示した図である。
【図６】本発明の第２実施形態にかかる清浄ユニットが備える電気回路の一例を示した図である。
【図７】本発明の第２実施形態にかかる光触媒ユニットの外観を示した図である。
【図８】本発明の第２実施形態にかかる発光装置の外観を示した図である。
【図９】本発明の第２実施形態にかかる送風装置の外観を示した図である。
【図１０】本発明の第２実施形態にかかる非直線タイプの清浄ユニットの外観を示した図である。
【図１１】本発明の第２実施形態にかかる光触媒ユニットの外観を示した図である。
【図１２】本発明の第２実施形態にかかる空気清浄システムが備える清浄ユニット２１の数および配置の形を例示した図である。
【図１３】本発明の一変形例にかかる空気清浄システムの連結部材を示した図である。
【図１４】本発明の一変形例にかかる空気清浄システムの連結部材を示した図である。
【図１５】本発明の一変形例にかかる空気清浄システムの連結部材を示した図である。
【図１６】本発明の一変形例にかかる空気清浄システムを示した図である。
【図１７】本発明の一変形例にかかる清浄ユニットの光触媒パネルの形状を示した図である。
【図１８】本発明の一変形例にかかる清浄ユニットの構成を示した図である。
【図１９】本発明の一変形例にかかる空気清浄システムを示した図である。
【図２０】本発明の一変形例にかかる連結部材を示した図である。
【発明を実施するための形態】
【００２７】
［第１実施形態］
以下に、本発明の第１実施形態にかかる空気清浄装置１を説明する。図１は、空気清浄装置１の本体１１の外観を示した図であり、図２は、図１に示した本体１１の分解図である。また、図３は本体１１に収容される光触媒ブロック１２の外観を示した図である。
【００２８】
以下の説明においては、図１〜図３に矢印Ｘで示す方向をユーザが本体１１または光触媒ブロック１２を見る正面方向とし、空気清浄装置１の方向等をいう場合、ユーザから見た方向等を意味するものとする。
【００２９】
本体１１はまず、全体として四角柱の形状を示す枠体である外殻フレーム１１１を備えている。外殻フレーム１１１の左側面内側には、発光体パネル１１２Ｌが取り付けられている。発光体パネル１１２Ｌは、紫外線光を発光する発光体である複数の発光管と、これらの発光体を平面上に保持する板体または長方形を示す枠体で構成されている。図２に示すように、発光体パネル１１２Ｌは発光体が内側に向けて発光する向きで、外殻フレーム１１１の左側面の概ね上側５分の４を塞ぐように、外殻フレーム１１１に取り付けられている。なお、発光体パネル１１２Ｆの発光管には図示せぬ電源から発光に要する電力が供給される。
【００３０】
外殻フレーム１１１の手前面には、長方形を示す枠体である扉フレーム１１３が、例えばその右側において図示せぬ複数の蝶番を介して、外殻フレーム１１１の右手前の柱に取り付けられている。従って、扉フレーム１１３は外殻フレーム１１１の右手前の柱の長手方向を軸とする軸周りに回動可能である。扉フレーム１１３が示す長方形は、外殻フレーム１１１の手前面の概ね上側５分の４を塞ぐ形状である。
【００３１】
扉フレーム１１３の内側面には、発光体パネル１１２Ｆが取り付けられている。発光体パネル１１２Ｆは発光体パネル１１２Ｌと同様に、紫外線光を発光する発光体である複数の発光管と、これらの発光体を平面上に保持する板体または長方形を示す枠体で構成されている。図２に示すように、発光体パネル１１２Ｆは発光体が内側に向けて発光する向きで、扉フレーム１１３に取り付けられている。なお、発光体パネル１１２Ｌの発光管には図示せぬ電源から発光に要する電力が供給される。
【００３２】
外殻フレーム１１１の右側面には、水平方向に４本のレールが、上から順に等間隔で、レール１１２Ｒ−１、１１２Ｒ−２、１１２Ｒ−３、１１２Ｒ−４として取り付けられている。外殻フレーム１１１の左側の発光体パネル１１２Ｌより内側には、レール１１２Ｒ−１、１１２Ｒ−２、１１２Ｒ−３、１１２Ｒ−４の各々と同じ高さの対向する位置に、平行方向に４本のレールが、上から順に等間隔で、レール１１２Ｌ−１、１１２Ｌ−２、１１２Ｌ−３、１１２Ｌ−４として取り付けられている。（ただし、図２において、レール１１２Ｌ−４は発光体パネル１１２Ｌに隠れ、図示されていない。）
【００３３】
レール１１２Ｒ−１とレール１１２Ｌ−１は対をなして１つの光触媒ブロック１２をスライド可能に保持する保持機構を構成する。レール１１２Ｒ−２とレール１１２Ｌ−２等についても同様である。
【００３４】
外殻フレーム１１１の右側面、左側面、背面には、外側からそれらの面の概ね上側１０分の９を塞ぐように、パネル１１４Ｒ、パネル１１４Ｌ、パネル１１４Ｂが各々取り付けられている。また、扉フレーム１１３の外側にはパネル１１４Ｆが取り付けられている。
【００３５】
外殻フレーム１１１の上面には、大小２つの円形の孔が設けられたパネル１１４Ｔが、外殻フレーム１１１の上面の全体を塞ぐように取り付けられている。パネル１１４Ｔに設けられた大きい方の孔は、外部から空気清浄装置１の内部へと流入する空気の吸入口の役割を果たし、その大きい方の孔には、浄化対象の空気を空気清浄装置１の内部へと導く流路を形成する流入ダクト１１５が取り付けられている。なお、図１および図２において、流入ダクト１１５の上側は図示が省略されている。実際には、流入ダクト１１５はさらに上側に延伸し、その端部付近には、浄化したい空気を空気清浄装置１内へと移動させる流体移動装置であるファン（図示略）が取り付けられている。
【００３６】
外殻フレーム１１１の上面を塞ぐパネル１１４Ｔに設けられた小さい方の孔は、空気清浄装置１の内部から外部へと流出する空気の排出口の役割を果たし、その小さい方の孔を上下方向に貫通するように、流出ダクト１１６が取り付けられている。なお、図１および図２において、流出ダクト１１６の上側は図示が省略されている。実際には、流出ダクト１１６は空気清浄装置１と屋外とを結ぶように延伸するか、もしくは既存の屋外への排気ダクトに連結されている。
【００３７】
外殻フレーム１１１の下面には、床に接するように、パネル１１４Ｃが取り付けられている。パネル１１４Ｃは外殻フレーム１１１を補強しその形状を維持する役割を果たすとともに、空気清浄装置１の加重を面に分散する。
【００３８】
光触媒ブロック１２（図３）は、ブロックフレーム１２１と、ブロックフレーム１２１によって各々スライド可能に保持される１枚以上の光触媒パネル１２２で構成される。
【００３９】
ブロックフレーム１２１はまず、手前面側に配置される「ロ」の字状の枠体であるフレーム１２１１Ｆと、フレーム１２１１Ｆと対向するように背面側に配置される「ロ」の字状の枠体であるフレーム１２１１Ｂを備えている。フレーム１２１１Ｆとフレーム１２１１Ｂは、それらの左側において、上下方向に等間隔に配置された水平方向に延伸する７本のレール、すなわち上から順にレール１２１２Ｌ−１、レール１２１２Ｌ−２、・・・、レール１２１２Ｌ−７により互いに連結されている。ただし、図３において、レール１２１２Ｌ−７は光触媒パネル１２２の背面にあり、図示されていない。
【００４０】
また、フレーム１２１１Ｆとフレーム１２１１Ｂは、それらの右側において、レール１２１２Ｌ−１〜１２１２Ｌ−７の各々と同じ高さの対向する位置に配置された平行方向に延伸する７本のレール、すなわち上から順にレール１２１２Ｒ−１、レール１２１２Ｒ−２、・・・、レール１２１２Ｒ−７により互いに連結されている。ただし、図３において、レール１２１２Ｒ−７は光触媒パネル１２２の背面にあり、図示されていない。
【００４１】
レール１２１２Ｌ−１とレール１２１２Ｒ−１は対をなして１枚の光触媒パネル１２２をスライド可能に保持する保持機構を構成する。レール１２１２Ｌ−２とレール１２１２Ｒ−２等についても同様である。
【００４２】
光触媒パネル１２２は、アルミ製のハニカムパネルを、その外周をアルミチャンネルで「ロ」の字状に取り囲んで補強した部材（光触媒担持体）の表面に、例えば燻蒸等により二酸化チタン等の光触媒を担持させたものである。以上が空気清浄装置１の構成の説明である。
【００４３】
空気清浄装置１において、ユーザが１枚以上の光触媒パネル１２２を装填した光触媒ブロック１２を１つ以上、本体１１に装填した状態で電源を入れると、電源から発光体パネル１１２Ｌおよび発光体パネル１１２Ｆの発光管とファン（図示略）に電力が供給される。それに伴い、浄化対象の空気がファンの回転により流入ダクト１１５を介して本体１１内へと流れ込む。本体１１内に流れ込んだ空気の一部は、本体１１の下側の開口部から本体１１外の空間に排出され、それ以外の空気は流出ダクト１１６を介して例えば屋外へと排出される。
【００４４】
流入ダクト１１５から流れこんだ空気は、本体１１内に配置された光触媒パネル１２２により担持されている光触媒の近傍を流れる。その際、発光管から照射された光により光触媒に生じた正孔が水酸化イオンの電子を奪いＯＨラジカルを生じ、ＯＨラジカルが近辺の有機物から電子を奪い、有機物が二酸化炭素や水へと分解される、という一連の反応により、空気中の汚濁物質の主要な成分である有機物が分解される。その結果、本体１１外へと排出される空気は、流入ダクト１１５から本体１１へと吸入された空気よりも汚濁物質が少ない浄化された空気となる。
【００４５】
空気清浄装置１によれば、ユーザは空気清浄装置１の浄化能力を自由に調整することができる。すなわち、ユーザはまず、各光触媒ブロック１２に装填する光触媒パネル１２２の数を増減させることにより、空気清浄装置１の浄化能力を調整することができる。さらにユーザは、本体１１に装填する光触媒ブロック１２の数を増減させることにより、空気清浄装置１の浄化能力を調整することができる。
【００４６】
また、空気清浄装置１によれば、ユーザは空気清浄装置１のメインテナンスの作業を容易に行うことができる。すなわち、ユーザは光触媒パネル１２２の表面に不着した無機物の埃等を除去したい場合、光触媒ブロック１２を本体１１から取り出し、例えば水等で洗い流した後、再度、光触媒ブロック１２を本体１１に装填することで、その目的を達することができる。このように、複数の光触媒パネル１２２を光触媒ブロック１２の単位で本体１１に対し出し入れすることができるため、洗浄等のために複数の光触媒パネル１２２の各々を出し入れする必要がない。
【００４７】
また、空気清浄装置１においては、光触媒担持体として、金属製（例えばアルミ製）のハニカムパネルが用いられている。ハニカムパネルは、平板な面に対し垂直な方向に貫通する六角柱形状の複数の流路を形成するハニカム構造の壁面を有するパネルである。金属製のハニカムパネルにおいては、ハニカム構造を構成する六角柱形状の流路の一方の開口部から入射された光は、その壁面で反射を繰り返し、流路の他方の開口部から出射される。そのため、壁面の全てに概ね均一に光が当たる。従って、金属製のハニカムパネルを光触媒担持体として採用することにより、空気清浄装置１においては、単位体積当たりにおける光の照射を受ける光触媒の面積を広く確保することができる。その結果、空気清浄装置１は、浄化能力に照らしコンパクトかつ軽量とすることができる。
【００４８】
［第１実施形態の変形例］
上述した第１実施形態は、本発明の技術的思想の範囲内において様々に変更可能である。以下にそれらの変形の例を示す。
【００４９】
（変形例１）
上述した第１実施形態においては、外殻フレーム１１１および扉フレーム１１３と、それらのフレームに取り付けられたパネルとにより、空気清浄装置１の本体１１の筐体が構成されている。空気清浄装置１の本体１１の筐体の構成はこれに限られず、例えば十分な強度が得られるならば、パネルのみを連結した箱体によりその筐体が構成されるなど、他の構成が採用されてもよい。
【００５０】
（変形例２）
上述した第１実施形態においては、浄化された空気は、本体１１の下側の開口部から、本体１１が配置されている空間内に排出されるとともに、流出ダクト１１６から屋外へと排出される構成となっている。空気清浄装置１において浄化された空気の排出経路および排出先はこれらに限定されず、例えば流出ダクト１１６を設けず、浄化された空気を本体１１が配置されている空間内にのみ排出する構成や、本体１１の下側に開口部を設けず、浄化された空気を全て屋外に排出する構成が採用されてもよい。
【００５１】
また、本体１１に設けられる排気用の開口部、流入ダクト１１５、流出ダクト１１６等の配置は任意に変更可能である。例えば、流入ダクト１１５を本体１１の下側に配置し、流出ダクト１１６を本体１１の上側に配置するなど、他の配置が採用されてもよい。
【００５２】
（変形例３）
上述した第１実施形態においては、ファンは流入ダクト１１５の延伸先（本体１１の筐体に接続されている側とは反対側の端部）に取り付けられている構成となっている。ファンの配置位置はこれに限定されず、例えば流入ダクト１１５の内部や本体１１の筐体内等、空気の本体１１への移動が可能な限り、いずれの位置に配置されてもよい。
【００５３】
（変形例４）
上述した第１実施形態において、空気清浄装置１が光触媒パネル１２２をマイナスに帯電させる静電気発生装置を備える構成としてもよい。浄化の対象である有機物の多くは、プラスに帯電しやすい。そのため、静電気発生装置により光触媒パネル１２２をマイナスに帯電させると、空気中のプラスに帯電した有機物がクーロン力により光触媒パネル１２２に引きつけられ、有機物がＯＨラジカルに接触する確率が高まる。その結果、空気清浄装置１の浄化能力が高まる。
【００５４】
なお、光触媒パネル１２２をマイナスに帯電させる静電気発生装置の方式は、例えばエレキテル型静電気発生装置、バンデグラフ型静電気発生装置、ダイロッド型静電気発生装置、ウィムズハースト型静電気発生装置など、いずれの方式が採用されてもよい。
【００５５】
この変形例において、ユーザがメインテナンス等の目的で光触媒パネル１２２に触れる際に光触媒パネル１２２からユーザへ高圧電流が流れる不都合を回避するために、例えばユーザが本体１１の扉（扉フレーム１１３と、それに取り付けられたパネル１１４Ｆ）を開くと、それに連動して光触媒パネル１２２がアースされる構成が採用されてもよい。
【００５６】
［第２実施形態］
以下に、本発明の第２実施形態にかかる空気清浄装置２を説明する。図４は、空気清浄装置２の外観を示した図である。空気清浄装置２は、空気の浄化を行いたい閉空間を形成する壁の１つである壁９上に取り付けられる。
【００５７】
空気清浄装置２は複数の清浄ユニット２１と、ユーザの操作等に応じて電源から供給される電力の清浄ユニット２１に対する供給をＯＮ／ＯＦＦし清浄ユニット２１の運転を制御するコントロールボックス２２と、コントロールボックス２２と清浄ユニット２１（空気清浄装置２が備える複数の清浄ユニット２１のうち後述する空気の流路の最上流に位置するもの）とを電気的に接続するケーブル２３を備えている。
【００５８】
空気清浄装置２に使用される清浄ユニット２１の数は任意に変更可能であり、図４の例では全部で９つの清浄ユニット２１が使用されている。これらの清浄ユニット２１の各々を区別する場合、図４に示されるように、清浄ユニット２１−１、２１−２、・・・のように符号の末尾に枝番を付ける。
【００５９】
清浄ユニット２１の各々は以下に説明するように、吸気口２１３（吸入口）と排気口２１４（排出口）を備えており、互いに隣接する２つの清浄ユニット２１のうち一方の排気口２１４が他方の吸気口２１３と連結されることにより、全体として１つの空気の流路を形成する。以下、「上流」、「下流」という場合、この流路の上流、下流を意味する。
【００６０】
清浄ユニット２１は壁９に取り付けの際、蓋２１１（後述）の開閉時の回動軸がユーザから見て左側となるように取り付けられる。すなわち、清浄ユニット２１の壁９に対する取り付け方向は定まっている。以下、清浄ユニット２１の上下左右をいうとき、清浄ユニット２１が壁９に取り付けられた状態における上下左右を意味する。また、清浄ユニット２１が壁９に取り付けられた状態の手前側の面を前面、壁９に対向する側の面を背面という。
【００６１】
複数の清浄ユニット２１は必ずしも全て同じ構成ではなく、吸気口２１３および排気口２１４の位置により以下のタイプがある。
（ＬＲタイプ）吸気口２１３が左側面、排気口２１４が右側面
（ＲＬタイプ）吸気口２１３が右側面、排気口２１４が左側面
（ＴＢタイプ）吸気口２１３が上側面、排気口２１４が下側面
（ＢＴタイプ）吸気口２１３が下側面、排気口２１４が上側面
（ＬＴタイプ）吸気口２１３が左側面、排気口２１４が上側面
（ＬＢタイプ）吸気口２１３が左側面、排気口２１４が下側面
（ＲＴタイプ）吸気口２１３が右側面、排気口２１４が上側面
（ＲＢタイプ）吸気口２１３が右側面、排気口２１４が下側面
（ＴＬタイプ）吸気口２１３が上側面、排気口２１４が左側面
（ＴＲタイプ）吸気口２１３が上側面、排気口２１４が右側面
（ＢＬタイプ）吸気口２１３が下側面、排気口２１４が左側面
（ＢＲタイプ）吸気口２１３が下側面、排気口２１４が右側面
【００６２】
上述した清浄ユニット２１の全１２のタイプのうち、ＬＲタイプ〜ＢＴタイプは吸気口２１３から排気口２１４へと向かう清浄ユニット２１内における空気の流路が直線を描く。以下、流路が直線を描くタイプの清浄ユニット２１を「直線タイプの清浄ユニット２１」のように呼ぶ。一方、ＬＴタイプ〜ＢＲタイプは吸気口２１３から排気口２１４へと向かう清浄ユニット２１内における空気の流路が湾曲した非直線の形状を描く。以下、流路が非直線を描くタイプの清浄ユニット２１を「非直線タイプの清浄ユニット２１」のように呼ぶ。
【００６３】
図４に示すように、清浄ユニット２１の前面には吸気口２１３および排気口２１４の位置を示す矢印が記されており、ユーザはこの矢印の位置および方向により清浄ユニット２１のタイプを識別することができる。
【００６４】
図５は直線タイプの清浄ユニット２１の外観を示した図である。なお、図５においては例としてＬＲタイプの清浄ユニット２１を示している。図５（ａ）は蓋２１１を閉じた状態の清浄ユニット２１を左斜め下方向から見た図であり、図５（ｂ）は蓋２１１を閉じた状態の清浄ユニット２１を右斜め下方向から見た図である。
【００６５】
清浄ユニット２１は外から視認できる構成部として、１つの側面の概ね全体が開口された直方体の中空の箱体である筐体本体２１０と、筐体本体２１０の開口部を塞ぐように筐体本体２１０と連結された板体である蓋２１１と、筐体本体２１０に対し蓋２１１を軸周りに回動可能に連結する２個の蝶番２１２と、コントロールボックス２２もしくは隣接する上流側の清浄ユニット２１から電力の入力を受け付ける端子である入力端子２１８と、隣接する下流側の清浄ユニット２１の入力端子２１８と互いに着脱可能に係合し下流側の清浄ユニット２１に電力を出力する端子である出力端子２１９を備えている。
【００６６】
筐体本体２１０の内側面および蓋２１１の内側面は研磨により鏡面とされており、後述する発光装置２１６から発光される光を反射する。
【００６７】
筐体本体２１０の側面の１つ（ＬＲタイプの場合、左側面）には円形の開口部が吸気口２１３として設けられており、筐体本体２１０の側面の他の１つ（ＬＲタイプの場合、右側面）には円形の開口部が排気口２１４として設けられている。筐体本体２１０の排気口２１４の外縁部を構成する部分には、短い円筒形状の連結部材２１４ａが筐体本体２１０から外側に突出するように設けられている。また、筐体本体２１０の排気口２１４の外縁部を構成する部分には、弾性体でできたリング形状の密封部材（Ｏリング）である連結部材２１３ａが取り付けられている。連結部材２１３ａの内径は連結部材２１４ａの外径よりやや短く、連結部材２１４ａが隣接する清浄ユニット２１の吸気口２１３に挿入される際、当該吸気口２１３に取り付けられた連結部材２１３ａが圧縮されつつ連結部材２１４ａの挿入を許容する。その結果、互いに隣接する２つの清浄ユニット２１の吸気口２１３と排気口２１４が互いに密封連結される。
【００６８】
また、入力端子２１８は吸気口２１３が設けられている側面上に配置されており、出力端子２１９は排気口２１４が設けられている側面上に配置されている。隣接する２つの清浄ユニット２１が連結部材２１３ａに対する連結部材２１４ａの挿入（係合）により連結されると、この連結に伴い、ソケット形状の入力端子２１８にプラグ形状の出力端子２１９が挿入され、２つの清浄ユニット２１が電気的に接続される。
【００６９】
図６は、清浄ユニット２１が備える電気回路の一例を示した図である。入力端子２１８および出力端子２１９は各々、非接地側端子（図６の上側端子）と接地側端子（図６の下側端子）とを備えており、これらの端子に交流電源が接続されると、清浄ユニット２１が備える２つの発光装置２１６（後述）および清浄ユニット２１が備える１つの送風装置２１７（後述、清浄ユニット２１が備えない場合もある）の各々に、交流電源から電力が並列供給される。互いに隣接する清浄ユニット２１の出力端子２１９と入力端子２１８が互いに接続されると、交流電源に対し、これら２つの清浄ユニット２１が備える発光装置２１６および送風装置２１７が各々、並列接続される。従って、清浄ユニット２１を順次、直列的に連結すると、それらの清浄ユニット２１の発光装置２１６および送風装置２１７の全てに対し、交流電源から電力が供給されることになる。
【００７０】
図５（ｃ）は蓋２１１を開いた状態の清浄ユニット２１を示した図である。筐体本体２１０と蓋２１１により構成される箱体の中には、中央に光触媒ブロック２１５が配置され、吸気口２１３および排気口２１４のいずれも設けられていない２つの側面（この場合、上側面および下側面）の各々に沿うように２つの発光装置２１６（発光装置２１６Ｔ、２１６Ｂ）が配置され、吸気口２１３を内側から塞ぐように送風装置２１７が配置される。光触媒ブロック２１５、発光装置２１６および送風装置２１７の各々は、筐体本体２１０から手前方向にスライドさせて引き出すことができる。従って、ユーザはこれらの構成部の清掃や、消耗部品（発光装置２１６の発光管等）の交換の際、これらの構成部をスライドして引き出した状態で、容易に必要な作業を行うことができる。また、これらの構成部はスライド時の脱落防止のために設けられているネジを外すと、筐体本体２１０から取り外すことができる。従って、これらの構成部の故障時等に新しいものとの交換が容易である。
【００７１】
図７は、光触媒ブロック２１５の外観を示した図である。光触媒ブロック２１５は、表面に二酸化チタン等の光触媒を燻蒸等により担持させたアルミニウム等のエキスパンドメタル（光触媒担持体）である複数の光触媒パネル２１５ａと、壁９に対し垂直に交わる方向に所定間隔で整然と並べられた複数の光触媒パネル２１５ａと背面側の端部および前面側の端部において連結され、これらの光触媒パネル２１５ａを保持する保持パネル２１５ｂおよび２１５ｃを備えている。
【００７２】
光触媒パネル２１５ａの面は、吸気口２１３から排気口２１４に向かう空気の流路方向に沿った方向となるように配置されており、全体として空気の流れを導く役割を果たす。その一方で、光触媒パネル２１５ａはその平面に垂直方向に貫通する多数の孔を有しているため、清浄ユニット２１内を流れる空気の一部はこれらの孔を通過し、乱流を起こす。その結果、清浄ユニット２１を通過する空気がまんべんなく光触媒パネル２１５ａの表面の光触媒に接触することになる。
【００７３】
図８は、発光装置２１６の外観を示した図である。発光装置２１６は、電力の供給により発光する複数の発光管２１６ａと、発光管２１６ａを保持しつつ発光管２１６ａと電源との電気的な接続を確立するパネル形状の部材である基板２１６ｂを備えている。
【００７４】
図９は、送風装置２１７の外観を示した図である。送風装置２１７は、交流電流を直流電流に変換するＡＤ／ＤＣコンバータ（図示略）、直流電流の供給により運転するモータ（図示略）、モータにより駆動されるファン２１７ａを備えている。
【００７５】
図１０は、非直線タイプの清浄ユニット２１の外観を示した図である。なお、図１０においては例としてＬＢタイプの清浄ユニット２１を示している。非直線タイプの清浄ユニット２１においては、直線タイプの清浄ユニット２１と比べ、吸気口２１３と排気口２１４の位置が異なることに伴い、一部の構成部の配置が異なっている。例えば、ＬＲタイプと比べた場合、ＬＢタイプにおいては、連結部材２１４ａと出力端子２１９が右側面ではなく下側面に配置されており、また発光装置２１６の１つが下側面ではなく右側面に配置されている。
【００７６】
また、直線タイプの清浄ユニット２１と比べ、非直線タイプの清浄ユニット２１においては、光触媒ブロック２１５が備える光触媒パネル２１５ａが、吸気口２１３から排気口２１４に向かう空気の流れを導くように、湾曲している。図１１は、ＬＢタイプの清浄ユニット２１が備える光触媒ブロック２１５を示した図である。ただし、図１１においては光触媒パネル２１５ａの形状および配置を示すために、保持パネル２１５ｂを図示していない。
【００７７】
ユーザは、上述した構成を備える清浄ユニット２１を順次接続しながら壁９上に取り付けた後、コントロールボックス２２を最上流の清浄ユニット２１の近くに取り付け、最上流の清浄ユニット２１の入力端子２１８とコントロールボックス２２の出力端子とをケーブル２３により互いに接続する。これにより、空気清浄装置２が組み上がる。
【００７８】
その後、ユーザがコントロールボックス２２を操作して空気清浄装置２の運転を開始すると、各清浄ユニット２１が備える送風装置２１７のファン２１７ａが回転を開始するとともに、発光装置２１６の発光管２１６ａが発光を開始する。ファン２１７ａの回転により、最上流の清浄ユニット２１の吸気口２１３から周辺の空気が清浄ユニット２１内へと吸入され、順次、隣接する清浄ユニット２１へと送られ、最下流の清浄ユニット２１の排気口２１４から排出される。清浄ユニット２１の内部を流れる間、空気は光の照射を受けている光触媒の近辺を通過する。その際、光の照射により光触媒が正孔を生じ、正孔が水酸化イオンの電子を奪いＯＨラジカルを生じ、ＯＨラジカルが近辺の有機物から電子を奪い、有機物が二酸化炭素や水へと分解される、という一連の反応により、空気中の汚濁物質の主要な成分である有機物が分解される。その結果、最下流の清浄ユニット２１の排気口２１４から排出される空気は、最上流の清浄ユニット２１の吸気口２１３から吸入された空気よりも汚濁物質が少ない浄化された空気となる。
【００７９】
ところで、図４に示した空気清浄装置２に用いられている清浄ユニット２１の数および配置の形は一例であって、ユーザは空気清浄装置２に求められる浄化能力と配置スペースの条件に応じて清浄ユニット２１の数および配置の形を自由に決定することができる。図１２は空気清浄装置２に用いられる清浄ユニット２１の数および配置の形の他の例を示した図である。
【００８０】
［第２実施形態の変形例］
上述した第２実施形態は、本発明の技術的思想の範囲内において様々に変更可能である。以下にそれらの変形の例を示す。
【００８１】
（変形例１）
上述した第２実施形態においては、互いに隣接する２つの清浄ユニット２１を連結する連結部材の構成として、吸気口２１３の外縁部に設けられたＯリングである連結部材２１３ａと、排気口２１４の外縁部から外側に延伸するように設けられた短い円筒形状の連結部材２１４ａが採用されており、連結部材２１４ａが連結部材２１３ａに挿入されることにより２つの清浄ユニット２１が連結される。本発明の連結部材の構成がこれに限られず、一方の清浄ユニット２１の排気口２１４と他方の清浄ユニット２１の吸気口２１３とを連通させるように２つの清浄ユニット２１を連結可能な連結部材である限り、どのような構成の連結部材が採用されてもよい。
【００８２】
（変形例１−１）
図１３は、空気清浄装置２において採用可能な連結部材の一例を示した図である。この変形例の連結部材は、排気口２１４の外縁部から外側に延伸する短い円筒形状の連結部材２１４ａと、吸気口２１３の外縁部から外側に延伸する短い円筒形状の連結部材２１３ａとにより構成される。連結部材２１３ａの外側端面上にはシーリングのためのリング状の弾性部材２１３ｂが取り付けられている。そして、連結部材２１４ａが連結部材２１３ａの内側に挿入されると、連結部材２１４ａの外側端部の外側面上にリング状に設けられた突起部が、連結部材２１３ａの外側端部の内側面上にリング状に設けられた溝に嵌り込み、連結部材２１４ａと連結部材２１３ａの連結が固定される。その際、弾性部材２１３ｂが連結部材２１３ａの外側端部と、それに対向する位置の筐体本体２１０との間に挟み込まれ圧縮される。これにより、２つの清浄ユニット２１が密封連結される。
【００８３】
（変形例１−２）
また、図１４は、空気清浄装置２において採用可能な連結部材のさらに他の一例を示した図である。この変形例の連結部材は、排気口２１４の外縁部から外側に延伸する短い円筒形状の連結部材２１４ａと、吸気口２１３の外縁部から外側に延伸する短い円筒形状の連結部材２１３ａと、連結部材２１４ａと連結部材２１３ａとを連結する円筒形状の連結部材２００とにより構成される。連結部材２１４ａおよび連結部材２１３ａの外側面上にはネジ谷が切られている。連結部材２００は円筒の軸周りに互いに自在に回転可能な２つのリング状部材２００１および２００２を互いに並べた構成を備え、リング状部材２００１および２００２の各々の内側面上には、連結部材２１４ａおよび連結部材２１３ａの外側面上に切られているネジ谷と互いに螺合するネジ山が切られている。ユーザがリング状部材２００１を連結部材２１４ａに、リング状部材２００２を連結部材２１３ａに、各々螺合させるように回転させると、図１４（ｂ）に示すように、連結部材２１４ａと連結部材２１３ａが連結され、その結果、２つの清浄ユニット２１が連結される。
【００８４】
（変形例１−３）
また、図１５は、空気清浄装置２において採用可能な連結部材のさらに他の一例を示した図である。この変形例においては、上流から下流に向かい、清浄ユニット２１−１〜２１−５の計５つの清浄ユニット２１が用いられている。この変形例における連結部材２１４ａおよび連結部材２１３ａは各々、変形例１−２における連結部材２１４ａおよび連結部材２１３ａと同様に、排気口２１４および吸気口２１３の外縁部から外側に延伸する短い円筒形状の部材の外側面上にネジ谷が切られた構造のものである。清浄ユニット２１−２と清浄ユニット２１−３との間を除く連結部においては、変形例１−２の連結部材２００を用いた螺合による連結が行われている。一方、清浄ユニット２１−２と清浄ユニット２１−３との間は、連結部材２００とは異なる構成の連結部材２０１により連結がなされている。連結部材２０１は、フレキシブル管２０１１と、フレキシブル管２０１１の一方の端部に回転自在に設けられたリング状部材２０１２と、フレキシブル管２０１１の他方の端部に回転自在に設けられたリング状部材２０１３とを備えている。リング状部材２０１２およびリング状部材２０１３の内側面上には、連結部材２１４ａおよび連結部材２１３ａの外側面上に設けられたネジ谷と互いに螺合するネジ山が切られている。ユーザはリング状部材２０１２を連結部材２１４ａに、リング状部材２０１３を連結部材２１３ａに、各々螺合させるように回転させることで、清浄ユニット２１−２と清浄ユニット２１−３とを互いに連結することができる。このように、フレキシブル管を有する連結部材２０１を用いることにより、互いに排気口２１４を備える側面と吸気口２１３を備える側面とが対向しない位置に配置された２つの清浄ユニット２１を連結することが可能となる。従って、例えば図１５に示される障害物８があるような場合であっても、障害物８を迂回しつつ空気清浄装置２を配置することが可能となる。
【００８５】
（変形例２）
上述した第２実施形態においては、複数の清浄ユニット２１が形成する流路は分岐しないが、途中で分岐したり合流したりする流路を形成可能なように清浄ユニット２１を構成してもよい。図１６は、途中で流路を分岐・合流させる清浄ユニット２１を用いた空気清浄装置２の例を示した図である。図１６に示した変形例の一例において、清浄ユニット２１−２は左側面に吸気口２１３を備え、右側面と下側面に各々、排気口２１４を備えている。また、清浄ユニット２１−５は左側面と上側面に各々、吸気口２１３を備え、右側面に排気口２１４を備えている。このような構成の清浄ユニット２１を用いて組み上げられた空気清浄装置２は、清浄ユニット２１−１から清浄ユニット２１−２に流入した空気が清浄ユニット２１−３および２１−４へと２方向に分岐された後、再び、清浄ユニット２１−５へと合流される。図１７は、この変形例における清浄ユニット２１−２（図１７（ａ））および清浄ユニット２１−５（図１７（ｂ））の光触媒パネル２１５ａの形状を示した図（上から見た図）である。
【００８６】
（変形例３）
上述した第２実施形態においては、光触媒を担持する光触媒担持体としてエキスパンドメタルが採用されているが、光触媒担持体はエキスパンドメタルに限られず、例えばパンチングメタルパネル、金網のような他の形状の多孔パネルが採用されてもよい。また、光触媒担持体として、スチールウールのような非パネル形状の素材が用いられてもよい。
【００８７】
（変形例４）
上述した第２実施形態においては、清浄ユニット２１の設置の方向が定められているものとしたが、清浄ユニット２１の設置の方向はユーザが自由に決定可能としてもよい。その場合、清浄ユニット２１の設置の方向によって蓋２１１の開閉方向が異ならない構成（例えば蓋２１１を筐体本体２１０から手前方向に取り外す構成）であれば、外観が損なわれたり、蓋２１１の開閉時にユーザが混乱したりしないため、望ましい。この変形例によれば、上述した直線タイプの清浄ユニット２１は１種類となり、非直線タイプの清浄ユニット２１は２種類となり、計３タイプの清浄ユニット２１を製造すればよく、量産による低コスト化等のメリットが得られる。
【００８８】
（変形例５）
上述した第２実施形態においては、各タイプの清浄ユニット２１において吸気口２１３および排気口２１４の配置が固定されている。これに代えて、吸気口２１３および排気口２１４の位置をユーザが選択可能な構成が採用されてもよい。図１８は、そのような変形例にかかる清浄ユニット２１の構成を示した図である。この変形例にかかる清浄ユニット２１は、左右上下の計４つの側面の全てに円形の貫通孔が設けられており、ユーザはそれらの貫通孔の中から任意に１以上の吸気口２１３と排気口２１４とを選択する。そして、吸気口２１３および排気口２１４のいずれにも使用しない貫通孔は蓋２０２により閉鎖する。また、ユーザは蓋２０２により閉鎖した側面の内側に発光装置２１６をセットし、吸気口２１３として用いる貫通孔の内側に発光装置２１６をセットする。図１８においては例として、上側面および下側面の貫通孔が蓋２０２により閉鎖され、それらの内側に発光装置２１６が配置され、左側面の貫通孔の内側に送風装置２１７が配置され、ＬＲタイプの清浄ユニット２１が実現されている。なお、この変形例においては、いずれの貫通孔も吸気口２１３と排気口２１４の両方になり得るため、変形例１−２の例のように雌雄の区別のない連結部材が用いられる必要がある。また、光触媒パネル２１５ａに代えて、空気の流れの方向に制限を加えないように、例えば光触媒担持体としてスチールウール等の方向性を持たない素材を用いた光触媒ブロック２１５が採用されることが望ましい。
【００８９】
（変形例６）
上述した第２実施形態においては、清浄ユニット２１はユーザの正面から見て正方形である。本発明において清浄ユニット２１の筐体を正面から見た形状は正方形に限られず、壁９上に敷き詰めるように配置可能な形状であれば、いずれの形状が採用されてもよい。図１９は、この変形例の一例として、正面から見た形状が正六角形の筐体を備える清浄ユニット２１を用いた空気清浄装置２を示した図である。
【００９０】
（変形例７）
上述した第２実施形態においては、空気清浄装置２は空気を浄化したい閉空間内に配置される構成が採用されているが、空気清浄装置２の配置される空間は空気を浄化したい閉伊空間とは異なる空間であってもよい。その場合、空気を浄化したい閉空間と、その閉空間外に配置された空気清浄装置２とをダクトで連結すればよい。
【００９１】
（変形例８）
上述した第２実施形態においては、複数の清浄ユニット２１の各々に送風装置２１７が設けられる構成が採用されているが、必要な送風能力が得られる限り、一部の清浄ユニット２１が送風装置２１７を備えない構成が採用されてもよい。
【００９２】
（変形例９）
上述した第２実施形態においては、送風装置２１７が清浄ユニット２１の筐体（筐体本体２１０および蓋２１１が構成する箱体）の中に収容される構成が採用されているが、送風装置が清浄ユニット２１の筐体外に配置される構成が採用されてもよい。例えば、最上流の清浄ユニット２１の吸気口２１３の外側に、空気清浄装置２全体で要する送風能力を備えた送風装置を１つ配置し、清浄ユニット２１の各々は送風装置２１７を備えない構成が採用されてもよい。また、送風装置を連結部材の内側に収容する構成が採用されてもよい。図２０は、そのような変形例の一例として、変形例１−２の連結部材２００の内側に送風装置を収容した構成を示した図である。
【００９３】
（変形例１０）
上述した第２実施形態においては、コントロールボックス２２が清浄ユニット２１の外部に設けられているが、コントロールボックス２２を清浄ユニット２１に内蔵させる構成が採用されてもよい。
【００９４】
（変形例１１）
上述した第２実施形態においては、空気清浄装置２は空気（気体）を浄化するが、空気清浄装置２を変形して、水等の液体を浄化する液体浄化システムとして構成してもよい。その場合、連結部材は２つの清浄ユニット２１を液密に封止可能に連結するように構成される必要がある。また、発光装置２１６や送風装置２１７の電装部分もまた、液体の接触によるショートや腐食等の発生を防止するために、液体の流路から密封される必要がある。
【００９５】
（変形例１２）
上述した第２実施形態においては、流体を浄化する方式として光触媒に光を照射する方式が採用されているが、例えば紫外線によりオゾンを発生させて流体を浄化する方式や単純に流体に紫外線を照射して滅菌する方式など、他の光方式が浄化の方式として採用されてもよい。
【００９６】
（変形例１３）
上述した第２実施形態に上述した第１実施形態の構成の一部を組み合わせてもよい。具体的には、例えば、筐体本体２１０に複数の光触媒ブロック２１５（上述した第２実施形態に示したものよりも流路の方向の長さが小さい形状のもの）を、壁９に対し垂直方向にスライドさせて出し入れ可能に保持する保持機構を備える構成としてもよい。また、光触媒ブロック２１５を、複数の光触媒パネル２１５ａと、保持パネル２１５ｂに代えて光触媒パネル２１５ａの各々を例えば壁９に対し垂直方向にスライドさせて出し入れ可能に保持する保持機構を有する枠体とを備える構成としてもよい。
【００９７】
また、光触媒パネル２１５ａの光触媒を担持する光触媒担持体として、ハニカムパネルを用いる構成としてもよい。なお、その場合、ハニカムパネルの平板な面は、流路の方向に対し概ね垂直となるように配置されることになる。
【００９８】
（変形例１４）
また、上述した第２実施形態に上述した第１実施形態の変形例の構成の一部を組み合わせてもよい。例えば、空気清浄装置２が、光触媒ブロック２１５が備える光触媒担持体をマイナスに帯電させる静電気発生装置を備える構成としてもよい。
【００９９】
なお、上述した第１実施形態、第２実施形態およびそれらの変形例の説明に用いた構成部の具体的な配置、形状、素材、数等はあくまで一例であって、本発明を限定するものではなく、それらは様々にアレンジ可能であることは言うまでもない。
【符号の説明】
【０１００】
１…空気清浄装置、２…空気清浄装置、８…障害物、９…壁、１１…本体、１２…光触媒ブロック、２１…清浄ユニット、２２…コントロールボックス、２３…ケーブル、１１１…外殻フレーム、１１２…レール、１１３…扉フレーム、１１４…パネル、１１５…流入ダクト、１１６…流出ダクト、１２１…ブロックフレーム、１２２…光触媒パネル、２００…連結部材、２０１…連結部材、２０２…蓋、２１０…筐体本体、２１１…蓋、２１２…蝶番、２１３…吸気口、２１４…排気口、２１５…光触媒ブロック、２１６…発光装置、２１７…送風装置、２１８…入力端子、２１９…出力端子、２００１…リング状部材、２００２…リング状部材、２０１１…フレキシブル管、２０１２…リング状部材、２０１３…リング状部材
【図４】
2014073268.tif 000003
【図５】
2014073268.tif 000004
【図６】
2014073268.tif 000005
【図７】
2014073268.tif 000006
【図８】
2014073268.tif 000007
【図９】
2014073268.tif 000008
【図１０】
2014073268.tif 000009
【図１１】
2014073268.tif 000010
【図１２】
2014073268.tif 000011
【図１３】
2014073268.tif 000012
【図１４】
2014073268.tif 000013
【図１５】
2014073268.tif 000014
【図１６】
2014073268.tif 000015
【図１７】
2014073268.tif 000016
【図１８】
2014073268.tif 000017
【図１９】
2014073268.tif 000018
【図２０】
2014073268.tif 000019
【図１】
2014073268.tif 000020
【図２】
2014073268.tif 000021
【図３】
2014073268.tif 000022